(57)【要約】【課題】  住宅の天井に設置される照明器具の存在感を最小限に抑え、住宅の居室を広がりのあるすっきりとした印象の空間とすることができる照明設置構造を提供することを目的とする。【解決手段】  照明設置構造１は、照明器具６を天井３に設置する構造であって、下端面が天井３の天井面３ａを形成するとともに、板厚方向へ貫通するスリット３ｂを有する板状の天井仕上材３１と、天井仕上材３１のスリット３ｂの上方に凹溝５１の開口部分が位置するように配置される断面視凹溝状の照明ボックス５と、照明ボックス５の凹溝５１内に配置される照明器具６と、を備え、天井仕上材３１は、凹溝５１の側面５ｂを形成する側板の下端面５ｃ全体を被覆し、照明器具６は、天井面３ａよりも天井懐Ｓ側に位置している。【選択図】図４
2020047379.tif 000002
【特許請求の範囲】
【請求項１】
照明器具を天井に設置する照明設置構造であって、
下端面が前記天井の天井面を形成するとともに、板厚方向へ貫通するスリットを有する板状の天井仕上材と、
該天井仕上材の前記スリットの上方に凹溝の開口部分が位置するように配置される断面視凹溝状の照明ボックスと、
前記照明ボックスの前記凹溝内に配置される前記照明器具と、を備え、
前記天井仕上材は、前記凹溝の側面を形成する側板の下端面全体を被覆し、
前記照明器具は、前記天井面よりも天井懐側に位置することを特徴とする照明設置構造。
【請求項２】
前記天井仕上材は、長尺な複数の木目板同士を長手方向の向きを揃えて連結した面材であり、
前記照明器具は、前記木目板と長手方向を揃えて設置される細長のライン照明であることを特徴とする請求項１に記載の照明設置構造。
【請求項３】
前記照明ボックスは、前記凹溝の内側面を黒色仕上げとすることを特徴とする請求項１又は請求項２に記載の照明設置構造。
【請求項４】
請求項１から請求項３のいずれかに記載の照明設置構造を天井に有するリビングを備えた住宅であって、
前記リビングは、透過性を有する面材を嵌め込まれた開口部によって屋外空間と隔てられており、
前記照明器具の長手方向と前記開口部の面内方向とは直交することを特徴とする住宅。
【請求項５】
前記リビングは、前記開口部を挟んで屋外空間に設けられたテラスと隣接しており、
前記リビングの天井及び前記テラスの上方に位置する軒天井は、略同一の高さで形成され、
前記リビングの床及び前記テラスの床は、略同一の高さで形成され、
前記開口部は、前記リビングの床から天井までの高さを有することを特徴とする請求項４に記載の住宅。
【請求項６】
前記軒天井は、請求項１から請求項３のいずれかに記載の照明設置構造を有することを特徴とする請求項５に記載の住宅。
【発明の詳細な説明】
【技術分野】
【０００１】
本発明は、照明器具を天井に設置する照明設置構造に関する。
【背景技術】
【０００２】
従来より、住宅の居室の天井仕上げを表面に美しい木目の表れた木板貼りとすることで、温かみがあり安らげる空間を演出することが知られている。このような木板貼りは、細長な板材を互いに嵌合させて形成する所謂羽目板貼りとすることが多く、板材の長手方向の向きや木目の流れる方向によって居室を意匠性の高い面白みのある空間とすることができる。
【０００３】
また、リビングやダイニングなどの居室と屋外に設けられるテラスとを互いに行き来可能に隣接させ、明るく開放的な居室空間を有する住宅が提案されている（例えば、特許文献１）。このような住宅では、居室とテラスとの間に大開口の開口部を設置したり、居室及びテラスの床高さや天井高さを同一にしたりすることで、居室とテラスとの一体感を高め、居室をテラスまで継ぎ目なく続く奥行きのある空間であるように印象付けることができる。
【先行技術文献】
【特許文献】
【０００４】
【特許文献１】特開２０１７−１９８０２４
【発明の概要】
【発明が解決しようとする課題】
【０００５】
ところで、住宅の天井に設置される照明器具は、単に空間を明るく照らすだけではなくインテリアとしての存在感も大きいため、居室の天井仕上げを木板貼りとして居室の意匠性を高めても、照明器具や照明器具を固定する照明ボックスが天井面から露出していると居室空間全体が雑多な雰囲気となり、空間自体の意匠性を損なう場合がある。また、特許文献１の発明のように居室とテラスとの一体感を高めて奥行きのある空間を演出しても、居室からテラスを眺める際に、天井から露出する照明器具や照明ボックスによって視線が遮断されると、居室とテラスとの連続性を弱める可能性がある。
【０００６】
そこで、本発明は、上述した課題を鑑みてなされたものであって、住宅の天井に設置される照明器具の存在感を最小限に抑え、住宅の居室を広がりのあるすっきりとした印象の空間とすることができる照明設置構造を提供することを目的とする。
【課題を解決するための手段】
【０００７】
本発明の第１の照明設置構造は、照明器具を天井に設置する照明設置構造であって、下端面が前記天井の天井面を形成するとともに、板厚方向へ貫通するスリットを有する板状の天井仕上材と、該天井仕上材の前記スリットの上方に凹溝の開口部分が位置するように配置される断面視凹溝状の照明ボックスと、前記照明ボックスの前記凹溝内に配置される前記照明器具と、を備え、前記天井仕上材は、前記凹溝の側面を形成する側板の下端面全体を被覆し、前記照明器具は、前記天井面よりも天井懐側に位置することを特徴としている。
【０００８】
本発明の第２の照明設置構造は、前記天井仕上材が、長尺な複数の木目板同士を長手方向の向きを揃えて連結した面材であり、前記照明器具は、前記木目板と長手方向を揃えて設置される細長のライン照明であることを特徴としている。
【０００９】
本発明の第３の照明設置構造は、前記照明ボックスが、前記凹溝の内側面を黒色仕上げとすることを特徴としている。
【００１０】
本発明の住宅は、第１から第３のいずれかに記載の照明設置構造を天井に有するリビングを備えた住宅であって、前記リビングは、透過性を有する面材を嵌め込まれた開口部によって屋外空間と隔てられており、前記照明器具の長手方向と前記開口部の面内方向とは直交することを特徴としている。
【００１１】
本発明の住宅は、前記リビングが、前記開口部を挟んで屋外空間に設けられたテラスと隣接しており、前記リビングの天井及び前記テラスの上方に位置する軒天井は、略同一の高さで形成され、前記リビングの床及び前記テラスの床は、略同一の高さで形成され、前記開口部は、前記リビングの床から天井までの高さを有することを特徴としている。
【００１２】
本発明の住宅は、前記軒天井が、第１から第３のいずれかに記載の照明設置構造を有することを特徴としている。
【発明の効果】
【００１３】
本発明の第１の照明設置構造によると、天井仕上材のスリット上方に凹溝の開口部分が位置するように配置される断面視凹溝状の照明ボックスは、天井仕上材によって凹溝の側面を形成する側板の下端面全体を被覆され、照明器具は天井面よりも天井懐側に位置するので、照明ボックスや照明器具が天井面よりも下方に露出することがなく、天井下の空間をすっきりとした印象の空間とすることができる。
【００１４】
本発明の第２の照明設置構造によると、細長なライン照明である照明器具は、天井仕上材を構成する長尺な木目板と長手方向を揃えて設置されるので、天井仕上材に形成されたスリットや照明器具の存在感を抑えることができ、天井下の空間をよりすっきりとした印象の空間とすることができる。
【００１５】
本発明の第３の照明設置構造によると、照明ボックスは、凹溝の内側面を黒色仕上げとしているので、スリットと照明器具との間から覗く照明ボックスの存在感を抑えることができ、天井下の空間をよりすっきりとした印象の空間とすることができる。
【００１６】
本発明の住宅によると、リビングは、第１から第３のいずれかに記載の照明設置構造を具備するとともに、透過性を有する面材を嵌め込まれた開口部によって屋外空間と隔てられており、照明器具の長手方向と開口部の面内方向とが直交するので、夜間に照明器具を点灯すると、開口部に向かって延びる照明器具の細長い光が面材に映ってリビングの奥行き方向を強調するため、リビングに滞在する人に奥行きのある広々とした空間を印象付けることができる。
【００１７】
本発明の住宅によると、リビングは屋外空間に設けられたテラスと開口部を挟んで隣接し、リビングの天井及軒天井が略同一の高さで形成されるとともに、リビングの床及びテラスの床が略同一の高さで形成され、また、開口部が、リビングの床から天井までの高さを有するので、リビングとテラスとの一体感が高まり、リビングをテラスまで継ぎ目なく連続する奥行きのある広い空間であるかのように印象付けることが出来る。
【００１８】
本発明の住宅によると、テラスは、第１から第３のいずれかに記載の照明設置構造を具備するので、リビング及びテラスの照明器具を点灯すると、夜間であってもテラスを明るく照らしてリビングとテラスとの連続性を高めることができ、奥行きのある空間を演出することができる。
【図面の簡単な説明】
【００１９】
【図１】戸建住宅の一部平面図。
【図２】図１のＡ−Ａ断面図。
【図３】図２のＢ部分拡大断面図。
【図４】図３のＣ−Ｃ断面図。
【図５】照明設置構造の分解斜視図。
【図６】照明器具及び固定具を示す斜視図。
【図７】天井下地面材の設置状況を示す断面図。
【図８】照明器具及び天井仕上材の設置状況を示す断面図。
【発明を実施するための形態】
【００２０】
以下、本発明に係る住宅の最良の実施形態について各図を参照しつつ説明する。本実施形態における照明設置構造は、照明器具を天井に設置する際に用いられる構造であり、主に戸建住宅のリビングの意匠性を高めるために用いられるが、戸建住宅以外の住宅やリビング以外の室にも適用することができる。本実施形態では、照明設置構造１を戸建住宅２のリビング２１の天井３及び屋外空間に設けられた軒天井４に用いる場合について説明する。
【００２１】
図１は戸建住宅２の間取りの一例を示すもので、戸建住宅２は、平面視略矩形のリビング２１と、開口部２ａを挟んでリビング２１と行き来可能に隣接する屋外空間のテラス２２と、を備えており、図２に示すように、リビング２１の天井３及びテラス２２の上方に設置される軒天井４は、本発明の照明設置構造１を有している。
【００２２】
図１に示すように、開口部２ａはリビング２１の三方を囲うコ字形状に形成されており、図１においてリビング２１の上方向に設置される第１開口部２ｂと、第１開口部２ｂの両端から第１開口部２ｂに直交する方向へ延びる第２開口部２ｃ及び第３開口部２ｄと、から構成されている。また、図２に示すように、開口部２ａは、リビング２１の床Ｆ１から天井３まで延びる大開口であり、開口部分には透明ガラスなどの透過性を有する面材２ｅが設置されてリビング２１からテラス２２を広く視認することができる。そして、リビング２１の天井３の高さ及び軒天井４の高さを略同一に形成するとともに、リビング２１の床Ｆ１の高さ及びテラス２２の床Ｆ２の高さを略同一に形成することにより、リビング２１がテラス２２まで継ぎ目なく連続する奥行きのある空間であるかのような感覚を得ることができる。
【００２３】
次に、図３から図８を参照して天井３廻りの照明設置構造１について説明する。図４に示すように、照明設置構造１は、下端面が天井３の天井面３ａを形成するとともに、板厚方向へ貫通するスリット３ｂを有する板状の天井仕上材３１と、スリット３ｂの上方に凹溝５１の開口部分が位置するように配置される断面視凹溝状の照明ボックス５と、照明ボックス５の凹溝５１内に固定される照明器具６と、を備えている。
【００２４】
図３に示すように、天井３と上階の床や屋根などの構造材Ｘとの間には、天井懐Ｓが形成されており、天井３は構造材Ｘに吊り金具で吊下げられている。また天井３は、図４に示すように、天井仕上材３１と、天井仕上材３１よりも天井懐Ｓ側に設置されるプラスターボードなどの天井下地面材３２と、天井仕上材３１及び天井下地面材３２を支持する細長な野縁３３と、を有している。
【００２５】
図５に示すように、天井仕上材３１は、長手方向に沿って木目（図示しない）の表れた複数の細長な木目板３ｃを互いに嵌め合わせることによって形成されている。木目板３ｃは、一方の側面にだぼ溝３ｄを形成されるとともに、他方の側面にだぼ３ｅを形成されており、このだぼ溝３ｄに異なる木目板３ｃのだぼ３ｅを嵌め合わせることにより所謂羽目板貼りの面材とすることができる。このようにして形成される天井仕上材３１は、木目板３ｃの長手方向へ沿って板厚方向へ貫通するスリット３ｂを形成されており、スリット３ｂの幅である第１幅Ｗ１は、照明器具６の幅である第２幅Ｗ２よりも幅広であり、また図３に示すように、スリット３ｂの長さは照明器具６の長さと略同一に形成される。
【００２６】
図４及び図５に示すように、照明ボックス５は、照明器具６を支持する断面視凹溝状の細長な木製部材で、凹溝５１を下方に向けており、スリット３ｂの上方に凹溝５１の開口部分が位置するように設置される。照明ボックス５は、凹溝５１の内側面である底面５ａ及び側面５ｂを塗料やシート材などで黒色仕上げにされており、リビング２１から天井３を見上げてもあまり目立たず、その存在を感じることはほとんどない。また図５に示す照明ボックス５の底面５ａの幅である第３幅Ｗ３は、第１幅Ｗ１及び第２幅Ｗ２よりも幅広であり、さらに図３に示すように照明ボックス５の長さは、スリット３ｂの長さ及び照明器具６の長さと略同一に形成される。
【００２７】
図３に示すように、照明器具６は細長なＬＥＤなどのライン照明であり、天井懐Ｓ内の照明用トランス（図示しない）に接続される電気配線８を長手方向の一端部に連結し、リビング２１の壁面などに設置される図外の手元スイッチを入切することで点灯又は消灯することができる。また照明器具６は、図４及び図６に示す略凹溝状の固定具７によって照明ボックス５の凹溝５１内に設置される。この固定具７は、硬質樹脂や金属で形成された若干の弾性を有する部材であり、照明ボックス５の底面５ａに固定される固定片７ａと、固定片７ａの両端を下方へ折曲して形成される一対の側片７ｂと、側片７ｂの下端から相対向する側片７ｂに向けて折曲される一対の第１爪片７ｃと、側片７ｂの上下方向の略中間から相対向する側片７ｂに向けて突出する一対の第２爪片７ｄと、から形成されている。
【００２８】
図６に示すように、固定具７の一対の側片７ｂ同士の間隔である第１間隔Ｗ４は、照明器具６の第２幅Ｗ２と略同一であり、一対の第１爪片７ｃ同士の間隔である第２間隔Ｗ５は第２幅Ｗ２よりも狭く、また、第１爪片７ｃと第２爪片７ｄとの間隔である第３間隔Ｗ６は照明器具６の高さＬ１よりも若干長い。さらに、第１爪片７ｃの下端面７ｅは、先端に向かって上方へ傾斜しているので、照明器具６を固定具７に下方から押し込むと、下端面７ｅがガイドとなって照明器具６を固定具７に容易に嵌着させることでき、第１爪片７ｃと第２爪片７ｄとの間で照明器具６が落下しないように保持することができる。また図４に示すように、側片７ｂは、固定具７を凹溝５１に設置した場合に、下端部が天井面３ａよりもリビング２１側へ突出しない高さに形成されている。
【００２９】
図５に示す木目板３ｃの板幅は８０ｍｍ〜１００ｍｍ程度であり、天井仕上材３１のスリット３ｂの第１幅Ｗ１は、２０ｍｍ〜３０ｍｍ程度で形成され、特に２２ｍｍ程度とすることが望ましい。また、照明器具６は、第２幅Ｗ２が１０ｍｍ〜１８ｍｍ程度の細長いライン照明とすることが好ましく、照明ボックス５の凹溝５１の第３幅Ｗ３は、５０ｍｍ〜６０ｍｍ程度で形成される。このように、第１幅Ｗ１や第２幅Ｗ２を細くすることでリビング２１を見渡した際にスリット３ｂから覗く照明ボックス５の凹溝５１や、照明器具６の存在感を抑えることができ、リビング２１をすっきりとした印象の空間とすることができる。
【００３０】
次に、照明設置構造１の施工手順について説明する。まず、図７に示すように、２つの野縁３３を水平方向へ向けた状態で照明ボックス５の幅分だけ間隔を開けて配置し、図３に示す構造材Ｘに吊り金具で吊下げる。そして、凹溝５１を下方へ向けた状態で照明ボックス５を２つの野縁３３の間に配置し、側面５ｂ側から野縁３３にビス等で固定する。このとき、照明ボックス５は、側面５ｂを形成する側板の下端面５ｃが野縁３３の下端面よりも天井下地面材３２の板厚分程度下方へ突出するように固定され、天井下地面材３２を野縁３３の下端面にビス固定すると、図８に示すように、照明ボックス５の下端面５ｃと天井下地面材３２の下端面とを略面一にすることができる。
【００３１】
次に、図８に示すように、固定具７の側片７ｂを凹溝５１の側面５ｂと対向させた状態で、固定具７の固定片７ａを照明ボックス５の底面５ａにビス等で固定する。そして、図３に示すように、固定具７を一定間隔空けながら照明ボックス５の長手方向へ沿って照明ボックス５に順次固定していき、図８に示すように、照明器具６を下方から固定具７に押し込んで嵌着させ、第１爪片７ｃ及び第２爪片７ｄとの間で照明器具６を保持する。図３に示すように、照明器具６と電気配線８とを接続した後、最後にスリット３ｂの長手方向と照明ボックス５の長手方向とを揃え、天井下地面材３２を介して天井仕上材３１を野縁３３にビスなどで固定する。
【００３２】
このとき、先述したように、図５に示すスリット３ｂの第１幅Ｗ１は、照明器具６の第２幅Ｗ２よりも幅広、且つ、底面５ａの第３幅Ｗ３よりも狭いので、図４に示すように、照明ボックス５の下端面５ｃは天井仕上材３１に被覆されることになり、リビング２１から天井３を見上げても照明ボックス５の凹溝５１の内側面以外の部分を視認することはできない。また、凹溝５１の底面５ａ及び側面５ｂは黒色仕上げであるため、天井３を見上げた際に、照明器具６とスリット３ｂとの間からわずかに底面５ａや側面５ｂが見えたとしても、凹溝５１の存在を感じることはほとんどない。そして、固定具７の側片７ｂの下端部は、天井面３ａよりもリビング２１側へ突出しないので、固定具７に保持される照明器具６が天井面３ａからリビング２１側へ露出することはなく、リビング２１をすっきりとした印象の空間とすることができる。更に、スリット３ｂは天井仕上材３１を構成する木目板３ｃと長手方向を揃えて形成されるので、天井３を見上げても木目板３ｃの長手方向の直線となじんで目立ちにくく、その存在感を効果的に抑えることができる。なお、図２に示す軒天井４は、屋外空間に形成されることの他は天井３と同様の構成であり、また、天井３及び軒天井４廻りに用いられる照明設置構造１は同様の構成であるため、軒天井４及び軒天井４廻りの照明設置構造１については説明を省略する。
【００３３】
このように形成される照明設置構造１は、照明ボックス５や照明器具６が天井面から露出しないので、木目を有する天井仕上材３１の意匠性を損なうことがなく、リビング２１及びテラス２２をすっきりとした印象の空間とすることができる。また、リビング２１からテラス２２を眺めた際にこれらの照明装置によって視界が遮られることがないので、よりリビング２１及びテラス２２の連続性を高めることができ、リビング２１がテラス２２まで継ぎ目なく続く奥行きのある空間のように感じることができる。そして、照明器具６を点灯しても、従来のように照明ボックス５や照明器具６が開口部２ａの面材２ｅに映りこむことがないので、日中だけでなく夜間においてもこれらの照明装置を煩わしく感じることがない。
【００３４】
さらに、図２に示すように、天井３に設置される照明器具６の長手方向と、第１開口部２ｂの面内方向とは直交しているので、夜間に照明器具６を点灯すると、第１開口部２ｂに向かって延びる細長い照明光が面材２ｅに映ってリビング２１の奥行き方向を強調し、よりリビング２１を奥行きのある広い空間と印象付けることができる。そして、天井３及び軒天井４は、それぞれ照明設置構造１を有しているので、夜間であっても軒天井４の照明器具６を点灯すればテラス２２を明るく照らすことができ、リビング２１及びテラス２２の意匠性を損なうことなくリビング２１とテラス２２との連続性を高めることができる。
【００３５】
なお、本発明の実施の形態は上述の形態に限ることなく、本発明の思想の範囲を逸脱しない範囲で適宜変更することができる。
【産業上の利用可能性】
【００３６】
本発明に係る照明設置構造は、木板仕上げの天井を有する居室を備えた戸建住宅に好適に使用することができる。
【符号の説明】
【００３７】
１        照明設置構造
２１      リビング
２２      テラス
２ａ      開口部
２ｂ      第１開口部（開口部）
２ｅ      面材
３        天井
３１      天井仕上材
３ａ      天井面
３ｂ      スリット
３ｃ      木目板
４        軒天井
５        照明ボックス
５１      凹溝
５ａ      底面
５ｂ      側面
５ｃ      側板の下端面
６        照明器具
Ｆ１      リビングの床
Ｆ２      テラスの床
Ｓ        天井懐
【図１】
2020047379.tif 000003
【図２】
2020047379.tif 000004
【図３】
2020047379.tif 000005
【図４】
2020047379.tif 000006
【図５】
2020047379.tif 000007
【図６】
2020047379.tif 000008
【図７】
2020047379.tif 000009
【図８】
2020047379.tif 000010